(57)【要約】  【課題】  各種商品形状に対応でき、保管時に狭い作業場にも容易に収納できる構造を持った運搬台車を得ること。  【解決手段】  運搬台車１０は、前方に前キャスタ１１１を固定した下枠１１と、下枠１１の後方にほぼ直立状態に固定されていて、下端に後キャスタ１２１が固定されかつ上端にハンドル１３が連結された１対の後脚１２と、下枠１１に着脱自在に装着されかつ後端が下枠１１の後端に回転自在に連結された下方台板２１と、下方台板２１から上方に所定の距離だけ間隔をあけてほぼ水平に設置されていて、後端が後脚１２の上部に回転自在に連結された上方台板２２と、上方台板２２の前端に回転自在に連結されかつ下端が下方台板２１に着脱自在に係合する１対の前脚３１とからなる。【選択図】    図１
2006111221.tif 000002
【特許請求の範囲】
【請求項１】
前方に前キャスタを固定した下枠と、
前記下枠の後方にほぼ直立状態に固定されていて、下端に後キャスタが固定されかつ上端にハンドルが連結された１対の後脚と、
前記下枠に着脱自在に装着されかつ後端が前記下枠の後端に回転自在に連結された下方台板と、
前記下方台板から上方に所定の距離だけ間隔をあけてほぼ水平に設置されていて、後端が前記後脚の上部に回転自在に連結された上方台板と、および
前記上方台板の前端に回転自在に連結されかつ下端が前記下方台板に着脱自在に係合する１対の前脚と、
からなる運搬台車。
【請求項２】
前記上方台板の底面長手方向両側にガイドレールが固定され、該ガイドレールの後端に嵌合凹部が設けられ、前記１対の後脚上部を連結する水平上方連結パイプが前記嵌合凹部に回転自在に係合し、前記上方台板前端が上方に引き上げられたとき、前記嵌合凹部が前記後脚上部水平上方連結パイプとの係合が外れ、前記上方台板底面ガイドレールが前記後脚上部水平上方連結パイプと係合して滑る、請求項１に記載の運搬台車。
【請求項３】
前記１対の前脚は水平上方連結パイプおよび水平下方連結パイプによって連結され、該水平上方連結パイプの両端が前記上方台板のガイドレール前端に回転自在に連結され、前記水平下方連結パイプが前記下方台板先端の細長凹部に着脱自在に係合している、請求項１に記載の運搬台車。
【請求項４】
前記上方台板底面ガイドレールの中間前端付近にストッパが設けられている、請求項２に記載の運搬台車。
【請求項５】
前記後脚上部に前脚受け部分が設けられている、請求項２に記載の運搬台車。
【請求項６】
前記下枠後端と前記下方台板後端とはヒンジ棒機構によって回転自在に連結されていて、前記下方台板前端が上方に引き上げられたとき、前記下方台板後端が前記下枠上を滑りながら、前記下方台板は前記ヒンジ棒機構を支点として水平位置とほぼ垂直位置との間を回転する、請求項１に記載の運搬台車。
【請求項７】
前記上方台板および前記下方台板の上面の所定箇所に滑り止めゴムが貼付されている、請求項１に記載の運搬台車。
【請求項８】
前記上方台板および前記下方台板のうち少なくとも一方の長手方向両側のほぼ中央部に凹部が設けられかつ長手方向先後端に溝が設けられ、別途準備されたコンテナの底部突起と着脱自在に嵌合する、請求項１に記載の運搬台車。
【請求項９】
前記ハンドルは、高さ調節機構をかいして前記後脚の上部に連結されている、請求項１に記載の運搬台車。
【発明の詳細な説明】
【技術分野】
【０００１】
本発明は、スーパーマーケット等において商品の搬送のために使用される運搬台車に関する。
【背景技術】
【０００２】
スーパーマーケット等においては、荷受け、検収、一時保管、商品化、陳列の一連作業の流れで、店舗に入荷した大量の商品の移動、運搬が頻繁に行われている。スーパーマーケット等において扱う商品には、箱入りの安定した形状の商品、不安定な形状の商品（青果物等）がある。これらの商品を荷受けから売場まで運搬を楽に効率よく行うために、運搬台車が使用されている。スーパーマーケット等では、商品の移動運搬が主な作業の１つである。この作業態様いかんにより、作業効率が大幅に左右される。代表的な作業例は、安定した箱入り商品、重量のある大きな商品、不定形で台板に安定しない商品をそれぞれ取り扱う形態に要約できる。
【０００３】
商品の荷受けから売場まで、作業間、場所間の商品移動を容易かつ円滑に行うために、作業形態に適応させた運搬台車（カート）が使用されている。従来の運搬台車の代表例を図２５および図２６にそれぞれ示す。図２５に示す運搬台車１ａは、不安定な形状の商品（例えば、青果物）を対象としている。運搬台車１ａは、上方台板２ａ、下方台板３ａ、ハンドル４ａが支持枠５ａに固定され、上方台板１ａの上にコンテナ６ａが乗せられる。下方台板３ａの底面にはキャスタ７ａが取り付けられている。図２６に示す運搬台車１ｂは箱入り商品を対象としている。運搬台車１ｂは、上方台板２ｂ、下方台板３ｂ、ハンドル４ｂが支持枠５ｂに固定される。上方台板１ｂの上面に滑り止めゴム８ｂが貼付され、下方台板３ｂの底面にはキャスタ７ｂが取り付けられている。
【０００４】
上記各作業部門で使用する運搬台車は、作業能率追求のために単一の機能だけを持ち、各作業部門間での共用ができない。そのために、各作業部門は最大ピーク作業に合わせて運搬台車の台数を準備している。作業の開始から終了までの時間帯によっては、不使用運搬台車の台数が増加することもある。また、作業量の多い他作業部門に運搬台車を転用できないために、運搬台車１台当たりの生産性が低くなる。運搬台車は、作業終了時、作業場内の定位置に収容保管されが、作業部門ごとに持つ台数のために店舗全体として運搬台車占有空間が大きくなり、作業場の面積単位の生産性も低くなる。また、同一場所に複数種の専用車が混在したとき、運搬台車の管理面での繁雑さも生じる。そのために、スーパーマーケット等においては、使用運搬台車の台数削減、保管場所の縮小、管理の簡素化の要請が近年強まってきた。
【０００５】
そこで、本出願人は、運搬時の荷崩れを防止し、作業効率を向上し、運搬作業者の安全を確保できる運搬台車を特許文献１に提案した。この運搬台車は、上下に一定の間隔をあけたトップ基板とベース基板とからなり、トップ基板が門型主柱に枢着され、ベース基板が補助柱に枢着された構成になっている。この構成では、トップ基板は片持ち式支持となり、重量のある荷物の積載には適していない。運搬台車を直列に連結して収納するさいに、隣接運搬台車のトップ基板およびベース基板がそれぞれ互いに傾斜して重なるので、直列収納運搬台車を分離するさいに余分な労力を要する。
【０００６】
一方、スーパーマーケット等における商品陳列台は、簡単な操作により、２段または１段の構造に変換でき、コンテナ積載機能を持ち、ネスティング収納可能な機構を備えているものが要請されている。
【０００７】
【特許文献１】実用新案登録第３０９６２６３号
【発明の開示】
【発明が解決しようとする課題】
【０００８】
上述したように、従来の運搬台車はそれぞれ専用台車であり、作業場相互間の共同使用ができないために、各作業場は最大ピークの仕事量に合わせた台数を持つことになり、台数が増加する。また、従来の運搬台車は簡便に小型化して収納できる構造を持っていないために、作業終了時に収納、管理する広い場所を必要とするなどの問題点があった。
【０００９】
そこで、本発明の課題は、各種商品形状に対応でき、保管時に狭い作業場にも容易に収納できる構造を持った運搬台車を得ることにある。
【課題を解決するための手段】
【００１０】
本発明の運搬台車は、前方に前キャスタを固定した下枠と、下枠の後方にほぼ直立状態に固定されていて、下端に後キャスタが固定されかつ上端にハンドルが連結された１対の後脚と、下枠に着脱自在に装着されかつ後端が下枠の後端に回転自在に連結された下方台板と、下方台板から上方に所定の距離だけ間隔をあけてほぼ水平に設置されていて、後端が後脚の上部に回転自在に連結された上方台板と、および上方台板の前端に回転自在に連結されかつ下端が下方台板に着脱自在に係合する１対の前脚とからなる。
【００１１】
ここで、「後端」とは、運搬台車の通常の進行方向に関して、ハンドル側を言い、「前端」とは、ハンドル側と反対側を言う。以下、同様である。
【００１２】
上方台板の底面長手方向両側にガイドレールが固定され、ガイドレールの後端に嵌合凹部が設けられ、１対の後脚上部を連結する水平上方連結パイプが嵌合凹部に回転自在に係合する。また、１対の前脚は水平上方連結パイプおよび水平下方連結パイプによって連結される。水平上方連結パイプの両端が上方台板のガイドレール前端に回転自在に連結され、水平下方連結パイプが下方台板先端の細長凹部に着脱自在に係合する。後脚上部に前脚受け部分が設けられている。
【００１３】
上方台板前端が上方に引き上げられたとき、嵌合凹部が後脚上部水平上方連結パイプとの係合が外れ、上方台板底面ガイドレールが後脚上部水平上方連結パイプと係合して滑る。他方、１対の前脚は上端の水平上方連結パイプを支点として回転し、垂直姿勢を保持しながら上方台板の底面側に接近する。上方台板は後脚の背後上方でほぼ垂直姿勢を取り、次いで上方台板は自重により後脚背後を下降し、所定位置で停止する。このようにして、上方台板は後脚背後に収納されと共に、前脚は後脚上部の受け部分と係合する。上方台板を使用する場合には、上述と逆の動作を行えばよい。
【００１４】
上方台板底面ガイドレールの中間前端付近にストッパを設けることが好ましい。このストッパによって、上方台板の下降を適切位置に停止させることができる。
【００１５】
下枠後端と下方台板後端とはヒンジ棒機構によって回転自在に連結されている。下方台板前端が上方に引き上げられたとき、下方台板後端が下枠上を滑りながら、下方台板はヒンジ棒機構を支点として水平位置とほぼ垂直位置との間を回転する。下方台板が水平位置からほぼ垂直位置まで回転したとき、下方台板の上端が前脚の上部に当接し、その姿勢を保持する。
【００１６】
上方台板および下方台板の上面の所定箇所に滑り止めゴムを貼付することが好ましい。運搬中の荷物のずれ、脱落を防止するためである。
【００１７】
上方台板および下方台板のうち少なくとも一方の長手方向両側のほぼ中央部に凹部が設けられかつ長手方向先後端に溝が設けられ、別途準備されたコンテナの底部突起と着脱自在に嵌合することが好ましい。コンテナに不安定な形状の商品（青果物等）を入れるためである。
【００１８】
ハンドルは、高さ調節機構をかいして後脚の上部に連結されることが好ましい。使用者の便宜を図るためである。
【発明の効果】
【００１９】
本発明の運搬台車は、各種商品形状に対応でき、保管時に狭い作業場にも容易に収納できる。
【発明を実施するための最良の形態】
【００２０】
次に、図面を参照して、本発明の運搬台車の好適実施例について説明する。図１−３は本発明の運搬台車１０の概略構成を示す。図１は本発明にもとづく運搬台車の斜視図であり、図２は図１に示す運搬台車の正面図であり、図３は図１に示す運搬台車の背面図である。
【００２１】
本発明の運搬台車１０は、前方に前キャスタ１１１を固定した下枠１１と、下枠１１の後方にほぼ直立状態に固定されていて、下端に後キャスタ１２１が固定されかつ上端にハンドル１３が連結された１対の後脚１２と、下枠１１に着脱自在に装着されかつ後端が下枠１１の後端に回転自在に連結された下方台板２１と、下方台板２１から上方に所定の距離だけ間隔をあけてほぼ水平に設置されていて、後端が後脚１２の上部に回転自在に連結された上方台板２２と、上方台板２２の前端に回転自在に連結されかつ下端が下方台板２１に着脱自在に係合する１対の前脚３１とからなる。
【００２２】
ここで、「後端」とは、図１において運搬台車１０の通常の進行方向Ａに関して、ハンドル１３側（図１において右側）を言い、「前端」とは、ハンドル１３側と反対側（図１において左側）を言う。以下、同様である。
【００２３】
図４、５、６、８に上方台板２２の詳細に示す。図４は図１に示す運搬台車１０の主要部の拡大側面図であり、図５は図１の一部正面図であり、図６は図１の一部背面図である。上方台板２２の底面長手方向両側にガイドレール２２１が固定され、ガイドレール２２１の後端に嵌合凹部２２２が設けられ、１対の後脚１２の上部１２３を連結する水平上方連結パイプ１２２が嵌合凹部２２２に回転自在に係合する。また、上部１２３の突起１２５も嵌合凹部２２２に着脱自在に係合する。１対の前脚３１は水平上方連結パイプ３１１および水平下方連結パイプ３１２によって連結され、水平上方連結パイプ３１１の両端が上方台板２２のガイドレール２２１の前端に回転自在に連結されている（図７参照）。図９、１２に最もよく示すように、後脚１２の上部１２３に前脚受け部分１２４が設けられている。
【００２４】
図４、５、１０、１９に示すように、運搬台車１０が使用時にあるときは、前脚３１の下部にある水平下方連結パイプ３１２は、後に詳述する下方台板２１の先端付近に設けられた細長凹部２１３に受けられ、また、前脚３１の先端３１３は下方台板２１の底面先端付近に設けられた案内筒２１４に挿入される。
【００２５】
図１０に示すように、上方台板２２の前端が上方に引き上げられたとき、ガイドレール２２１の後端に設けた嵌合凹部２２２が後脚１２の水平上方連結パイプ１２２および後脚上部１２３の突起１２５との係合が外れ、上方台板底面ガイドレール２２１が後脚上部水平上方連結パイプ１２２と係合して滑る。他方、１対の前脚３１の先端３１３および水平下方連結パイプ３１２は下方台板２１の案内筒２１４および細長凹部２１３からそれぞれ離脱し（図１０）、上端連結パイプ３１１を支点として回転し、垂直姿勢を保持しながら上方台板２２の底面側に接近する（図１１および図１７参照）。上方台板２２は後脚１２の背後上方にほぼ垂直姿勢を取り（図１２および図１８参照）、次いで上方台板２２は自重により後脚３１の背後で下降し、所定位置で停止する（図１３および図１９参照）。このようにして、上方台板２２は後脚１２の背後に収納されると共に、前脚３１は後脚１２の上部１２３の受け部分１２４と係合する。上方台板２２を使用する場合には、上述と逆の動作を行えばよい。
【００２６】
図４、１２、１３に示すように、上方台板底面ガイドレール２２１の中間前端付近にストッパ２２３を設けることが好ましい。ストッパ２２３が後脚上部１２３の突起１２５に当接したとき（図１３）、上方台板２２の下降を適切位置に確実に停止させる。
【００２７】
図４および図１４に示すように、下枠１１の後端と下方台板２１の後端とはヒンジ棒機構４０によって回転自在に連結されている。ヒンジ棒機構４０は、下枠１１の上面に固定された取付け板４１と、下方台板２１の底面に固定された押え板４２と、取付け板４１および押え板４２に回転自在に連結されたヒンジ棒４３とからなる。
【００２８】
図１５に示すように、下方台板２１の前端が上方に引き上げられたとき、下方台板後端２１１が下枠１１上を滑りながら、下方台板２１はヒンジ棒機構４０を支点として水平位置とほぼ垂直位置（好ましくは、図１６に示すように角度９０°を若干超えた位置）との間を回転する。下方台板２１が水平位置からほぼ垂直位置まで回転したとき（図１６）、下方台板２１の上端が前脚３１の上部３１４に当接し、その姿勢を保持する（図２０参照）。
【００２９】
図４、２０に示すように、下枠１１の底面前方端にはナット２１２が設けられており、前キャスタ１１１はそのボルト部１１２をナット２１２に係合させることにより取り付けられる。
【００３０】
再び、図１に示すように、上方台板２２および下方台板２１の上面の所定箇所に滑り止めゴム２２６および２１６を貼付することが好ましい。運搬中の荷物のずれ、脱落を防止するためである。
【００３１】
図１に示すように、上方台板２２および下方台板２１のうち少なくとも一方（図示例では両方）の長手方向両側のほぼ中央部に凹部２２７および２１７が設けられかつ長手方向先後端に溝２２８および２１８が設けられている。別途準備されたコンテナ５０（図２２）の底部の所定対応箇所に突起５１が設けられている。突起５１は溝２２８および２１８に着脱自在に嵌合する（図２３、２４参照）。コンテナ５０に不安定な形状の商品（青果物等）を入れるためである。
【００３２】
ハンドル１３は、図９に示すように、後脚１２の上部１２３に設けられた高さ調節機構１３１をかいして後脚１２の上部１２３に連結されることが好ましい。使用者の便宜を図るためである。
【００３３】
本発明の運搬台車１０は、図１に示すように、上方台板２２および下方台板２１の両方を同時に使用する２段式支持台とすることもできるが、図１９図に示すように、上方台板２２を折り畳んで、１段式支持台とすることもできる。さらに、必用に応じて、図２３に示すように、上方台板２２および／または下方台板２１にコンテナ５０を搭載することもできる。運搬台車１０の不使用時には、図２４に示すように、下方台板２１上にコンテナ５０を積み重ねることもできる。
【００３４】
運搬台車１０の不使用時には、図２１に示すように、上方台板２２および下方台板２１の両者を折り畳んで、複数台直列に連結して収納することもできる。
【産業上の利用可能性】
【００３５】
本発明の運搬台車は、各種商品形状に対応でき、保管時に狭い作業場にも容易に収納できる構造を持っているので、スーパーマーケット等ばかりではなく、各種物品を移動、搬送する必要がある倉庫、工場、建築・土木現場等にも使用できる。
【図面の簡単な説明】
【００３６】
【図１】本発明にもとづく運搬台車の斜視図である。
【図２】図１に示す運搬台車の正面図である。
【図３】図１に示す運搬台車の背面図である。
【図４】図１に示す運搬台車の主要部の拡大側面図である。
【図５】図１に示す運搬台車の前脚の一部正面図である。
【図６】図１に示す運搬台車の後脚の一部背面図である。
【図７】図１に示す運搬台車の前脚上部斜視図である。
【図８】図１に示す運搬台車の後脚上部正面図である。
【図９】図１に示す運搬台車の後脚上部斜視図である。
【図１０】図１に示す運搬台車の上方台板の一部側面図であって、上方台板の後方傾斜滑り開始動作を示す。
【図１１】図１０に示す上方台板の側面図であって、上方台板の後方傾斜滑り途中の動作を示す。
【図１２】図１０に示す上方台板の側面図であって、上方台板の後方傾斜滑り終了動作を示す。
【図１３】図１０に示す上方台板の側面図であって、上方台板の垂直下降滑り完了動作を示す。
【図１４】図１に示す運搬台車の下方台板の一部側面図であって、ヒンジ機構を示す。
【図１５】図１４に示す下方台板の一部側面図であって、下方台板の上方回転途中動作を示す。
【図１６】図１４に示す下方台板の一部側面図であって、下方台板の上方回転完了動作を示す。
【図１７】本発明にもとづく運搬台車の斜視図であって、図１０に対応する動作状態を示す。
【図１８】本発明にもとづく運搬台車の斜視図であって、図１２に対応する動作状態を示す。
【図１９】本発明にもとづく運搬台車の斜視図であって、図１３に対応する動作状態を示す。
【図２０】本発明にもとづく運搬台車の斜視図であって、図１６に対応する動作状態を示す。
【図２１】本発明にもとづく運搬台車の斜視図であって、複数台の運搬台車の収納状態を示す。
【図２２】本発明の運搬台車に搭載されるコンテナの斜視図である。
【図２３】本発明にもとづく運搬台車の斜視図であって、図２２のコンテナを搭載した状態を示す。
【図２４】図２３に示す運搬台車の斜視図であって、作業終了時のコンテナ収納状態を示す。
【図２５】従来の運搬台車の斜視図である。
【図２６】従来の別の運搬台車の斜視図である。
【符号の説明】
【００３７】
１０    運搬台車                      １１    下枠
１２    後脚                          １３    ハンドル
２１    下方台板                      ２２    上方台板
３１    前脚                          ４０    ヒンジ機構
５０    コンテナ
【図１】
2006111221.tif 000003
【図２】
2006111221.tif 000004
【図３】
2006111221.tif 000005
【図４】
2006111221.tif 000006
【図５】
2006111221.tif 000007
【図６】
2006111221.tif 000008
【図７】
2006111221.tif 000009
【図８】
2006111221.tif 000010
【図９】
2006111221.tif 000011
【図１０】
2006111221.tif 000012
【図１１】
2006111221.tif 000013
【図１２】
2006111221.tif 000014
【図１３】
2006111221.tif 000015
【図１４】
2006111221.tif 000016
【図１５】
2006111221.tif 000017
【図１６】
2006111221.tif 000018
【図１７】
2006111221.tif 000019
【図１８】
2006111221.tif 000020
【図１９】
2006111221.tif 000021
【図２０】
2006111221.tif 000022
【図２１】
2006111221.tif 000023
【図２２】
2006111221.tif 000024
【図２３】
2006111221.tif 000025
【図２４】
2006111221.tif 000026
【図２５】
2006111221.tif 000027
【図２６】
2006111221.tif 000028